(57)【要約】      （修正有）【課題】電動工具に使用する動力モード転換装置を提供する。【解決手段】電動工具に使用する動力モード転換装置は、動力ユニットに連接する打撃ユニットを備え、打撃ユニットはワッシャーリング１６、切替リング１９、バネ１３、打撃台、主軸１１を備え、動力ユニットが未作動の状態では、切替リング１９は制限を受け、ワッシャーリング１６を押さえて固定し、主軸１１が動力ユニットに駆動され回転すると、打撃台は連動され回転し、しかも制限されて軸方向への移動ができる。これにより打撃ブロック１２２は出力軸の凸ブロックを持続的に連動し回転させ、こうして電動ドリルモードの動力出力形態を形成し、ダイヤルを回すと、打撃ブロック１２２の軸方向に対する制限を解除する。この時、打撃ブロック１２２は正回転或いは反転を連動されると、出力軸の凸ブロックに対して衝突して軸方向に後退し、次にバネ１３を利用して、打撃台をもとの位置へと戻し、循環して作動する。【選択図】図２
0003164609.tif 000002
【実用新案登録請求の範囲】
【請求項１】
動力ユニットに連接する打撃ユニットを備え、
前記打撃ユニットは、ワッシャーリング、切替リング、バネ、打撃台、主軸、出力軸、ハウジング、ダイヤル、複数のスライドブロックを備え、
前記ワッシャーリングは、周縁に複数の欠口を設置し、
前記切替リングの第一端と第二端には、複数の第一凸部、前記ワッシャーリングの欠口に進入する複数の第二凸部をそれぞれ設置し、前記切替リングの外径表面には、環状溝槽を設置し、
前記バネの両端は、前記ワッシャーリングと前記切替リングを押さえ、
前記打撃台は、外径が前記打撃台より大きい盤面を備え、前記盤面には、複数の打撃ブロックを設置し、前記盤面の外径には、軸方向に延伸し、しかも前記第一凸部を進入させる複数の凹槽を設置し、前記打撃台の中央には、軸孔を備え、前記軸孔の内径には、内V型溝槽を設置し、
前記主軸は、前記ワッシャーリング、前記バネ、前記切替リング、前記打撃台に通して設置し、しかも前記主軸は、前記ワッシャーリングに対応後、相対して軸方向に移動できるが、相対して回転できず、前記主軸の外径には、外V型溝槽を設置し、前記外V型溝槽と前記内V型溝槽の間には、複数のスチールボールを入れ、各スチールボールにより前記主軸と前記打撃台を連接し、前記主軸により前記動力ユニットを連接し、
前記出力軸は、前記打撃ユニットに軸方向に対応し、前記出力軸の一端には、前記打撃ブロックと対応して打撃する複数の凸ブロックを設置し、
前記ハウジングは、前記打撃ユニットと前記出力軸とを、その内部空間に設置することができ、前記ハウジングの壁面には、斜槽を設置し、
前記ダイヤルは、前記ハウジングをその内部空間に設置することができ、前記ダイヤルの壁面には、複数の槽孔を設置し、
前記複数のスライドブロックは、同心で突出するフランジとピンを備え、前記スライドブロックは、前記ダイヤルの槽孔に組合せ、これにより前記フランジは、前記ハウジングの斜槽に対応し、前記ピンは、前記切替リングの環状溝槽に挿入されることを特徴とする電動工具に使用する動力モード転換装置。
【請求項２】
前記主軸の一端は、断面が多辺形を呈する多辺形軸で、
前記ワッシャーリング中央には、前記多辺形軸に対応し、前記多辺形軸が通過することができる多辺形孔を備えることを特徴とする請求項１に記載の電動工具に使用する動力モード転換装置。
【請求項３】
前記動力ユニットは、出力プレートを備え、
前記出力プレートの中央は、前記主軸の多辺形軸に対応して挿入し、対応する多辺形孔であることを特徴とする請求項１に記載の電動工具に使用する動力モード転換装置。
【請求項４】
前記切替リングに設置する第一凸部と第二凸部は、前記切替リングの側壁から中心へとプレス成型し、前記切替リングの内壁に突出することを特徴とする請求項１に記載の電動工具に使用する動力モード転換装置。
【考案の詳細な説明】
【技術分野】
【０００１】
本考案は電動工具に使用する動力モード転換装置に関し、特に電動工具に応用し、動力を持続的に回転出力し、回転と同時に間欠性インパクト出力動力を生じる間に転換する制御装置である電動工具に使用する動力モード転換装置に関する。
【背景技術】
【０００２】
穴あけ、ネジ締めに用いる従来の電動工具において、その構造は、モーターの動力をギアシステムを経由して出力軸に伝達し、これにより減速或いは加速の変速機能を達成するものである。
この他、ネジをよりしっかりと締め、或いは閉めたネジをスムーズに取り外すため、穴あけ、ネジ締め用電動工具の中には、インパクト機能を備えるものもある。
これにより、ネジを締める瞬間にネジをより緊密にしっかりと締め、或いはネジを取り外す瞬間にネジを緩めて取り外しの便を図る。
【０００３】
現在知られているインパクト機能を備える従来の電動工具の機構は、モーター、第一遊星ギアユニット、第二遊星ギアユニット、クラッチ機構などにより構成する動力ユニット、及び伝動軸、中間軸、打撃台、出力軸を備える。
クラッチ機構中のクラッチ盤が、軸方向に第一位置まで移動すると、伝動軸を第二遊星ギアユニットに連結し、しかも伝動軸と出力軸とは係合する。
この時、モーターは、第一遊星ギアユニット、第二遊星ギアユニット、伝動軸、出力軸を経て、動力を持続的に出力し、これにより低速回転を行い、電動ドリルとして使用することができる。
一方、クラッチ盤が、軸方向に第二位置まで移動すると、伝動軸は同時に第二遊星ギアユニット及び出力軸と分離する。
この時、モーターは、第一遊星ギアユニット、第二遊星ギアユニット、伝動軸、中間軸、打撃台、出力軸を経て動力を出力し、同時に高速回転及び間欠性インパクトを行い、これによりインパクト式ドライバーとして使用することができる。
しかし、回転、或いはインパクト出力形態切り替えに用いる切り替え装置の構造は複雑で、製造コストが高いという問題がある。
本考案は、従来の電動工具に使用する切り替え装置の上記した欠点に鑑みてなされたものである。
【考案の概要】
【考案が解決しようとする課題】
【０００４】
本考案が解決しようとする課題は、持続回転して動力を出力し、或いは回転と同時に間欠性インパクトにより動力を出力し、従来の電動工具の動力モード転換装置の、構造が複雑で、製造コストが高いという問題を解決することができる電動工具に使用する動力モード転換装置を提供することである。
【課題を解決するための手段】
【０００５】
上記課題を解決するため、本考案は下記の電動工具に使用する動力モード転換装置を提供する。
電動工具に使用する動力モード転換装置は、構造がシンプルで、動力ユニットに連接する打撃ユニットを備え、
該打撃ユニットは、ワッシャーリング、切替リング、バネ、打撃台、主軸を備え、
該動力ユニットが未作動の状態では、該切替リングは制限を受け、該ワッシャーリングを押さえて固定し、該主軸が動力ユニットに駆動され回転すると、該打撃台は連動され回転し、しかも制限されて軸方向への移動ができ、これにより該打撃ブロックは出力軸の凸ブロックを持続的に連動し回転させ、こうして電動ドリルモードの動力出力形態を形成し、ダイヤルを回すと、該打撃ブロックの軸方向に対する制限を解除でき、この時、該打撃ブロックは正回転或いは反転を連動されると、該出力軸の凸ブロックに対して衝突して軸方向に後退し、次にバネを利用して、打撃台をもとの位置へと戻し、
こうして絶えず循環して作動することで、インパクトモードの動力出力形態を生じることができ、
該打撃ユニットは、ワッシャーリング、切替リング、バネ、打撃台、主軸、ハウジングを備え、
該ワッシャーリングは、周縁に複数の欠口を設置し、
該切替リングの第一端と第二端には、複数の第一凸部、該ワッシャーリングの欠口に進入する複数の第二凸部をそれぞれ設置し、該切替リングの外径表面には、環状溝槽を設置し、
該バネの両端は、該ワッシャーリングと該切替リングを押さえ、
該打撃台は、外径が該打撃台より大きい盤面を備え、該盤面には、複数の打撃ブロックを設置し、該盤面の外径には、軸方向に延伸し、しかも該第一凸部を進入させる複数の凹槽を設置し、該打撃台の中央には、軸孔を備え、該軸孔の内径には、内V型溝槽を設置し、該主軸は、該ワッシャーリング、該バネ、該切替リング、該打撃台に通して設置し、しかも該主軸は、該ワッシャーリングに対応後、相対して軸方向に移動できるが、相対して回転できず、該主軸の外径には、外V型溝槽を設置し、該外V型溝槽と該内V型溝槽の間には、複数のスチールボールを入れ、各スチールボールにより該主軸と該打撃台を連接し、該主軸により該動力ユニットを連接し、
該ハウジングは、片側壁に複数の斜槽を設置し、一端に複数の凸ブロックを備える出力軸と該打撃ユニットとを、該ハウジングに順番に挿入し、さらに該ハウジングを片側壁に少なくとも１個の槽孔を設置するダイヤル内に設置し、該ダイヤルの槽孔には、スライドブロックを設置し、
これにより、該スライドブロックに設置するフランジは、該ハウジングの斜槽に対応し、該フランジと同心のピンは、該切替リングの環状溝槽に挿入され、制限作用を生じ、
該主軸の一端は、断面が多辺形を呈する多辺形軸であることが好ましく、
該ワッシャーリング中央には、該多辺形軸に対応し、該多辺形軸が通過することができる多辺形孔を備え、
これにより該主軸と該ワッシャーリングとを組合せ後、相対して軸方向の移動が可能であるが、相対して回転することはなく、
該動力ユニットは、出力プレートを備えることが好ましく、
該出力プレートの中央は、該主軸の多辺形軸に対応して挿入し、対応する多辺形孔で、
こうして該出力プレートを利用して該主軸の回転を駆動し、
該切替リングに設置する第一凸部と第二凸部は、該切替リングの側壁から中心へとプレス成型し、該切替リングの内壁に突出することが好ましく、
これにより該切替リングが該打撃台外側に嵌る時、該第一凸部と該第二凸部とは、該打撃台の凹槽と該ワッシャーリングの欠口にそれぞれ対応して入り、
上記した機構により、該動力ユニットが未作動の状態では、該切替リングは、該スライドブロックの制限を受け、第二凸部は、該ワッシャーリングの欠口を押さえ、
該主軸が動力ユニットに駆動され回転すると、動力は、打撃台を経て出力軸に伝達され、該出力軸は作動状態において負荷を受け、その反作用力を、該打撃台に伝達し、こうして打撃台は反転し、
この状態において、該外V型溝槽と該内V型溝槽とが該スチールボールに対応して連動する構造を利用し、これにより該打撃台は反転時、ワッシャーリングの方向へと軸方向に移動し、しかも該打撃台の反転後、その外縁の凹槽と切替リングの第一凸部とは相互に位置がずれ、
こうして、該打撃台の軸方向への継続移動を阻止するため、該打撃台前端の打撃ブロックは、出力軸後端の凸ブロックを離脱できなくなり、
これにより、動力は継続して伝達され、電動ドリルモードの形態で動力は出力され、
間欠性回転インパクトモードの動力出力形態とする時には、使用者は該ダイヤルを回し、これにより、スライドブロックは、ハウジングの斜槽の制限を受け、第一方向へと移動し、
こうして、該切替リングを連動して、第一端方向へと移動し、これにより該切替リングの第二端の第二凸部は、該ワッシャーリングの欠口を離脱し、第一端の第一凸部は、打撃台の凹槽内にスライドして入り、
この時、該打撃台が正回転していようと、反転していようと、該切替リングは、それに従い同期に回転するが、切替リングは、スライドブロックの制限を受けるため、前後に移動することはなく、よって、該打撃台が反作用力を受け反転し、しかも第二端方向へと移動する時には、一切の制限を受けず、
これにより、該打撃台前端の打撃ブロックは、出力軸後端の凸ブロックをスムーズに離脱し、バネの弾力は、該打撃台に再び作用し復帰させ、
このように絶えず循環し、間欠性回転とインパクト動作を生じることができる。
【考案の効果】
【０００６】
本考案の電動工具に使用する動力モード転換装置は、持続回転して動力を出力し、或いは回転と同時に間欠性インパクトにより動力を出力し、従来の電動工具の動力モード転換装置の、構造が複雑で、製造コストが高いという問題を解決することができる。
【図面の簡単な説明】
【０００７】
【図１】本考案が備える打撃ユニットの主要部品の組合せ関係を示す立体分解図である。
【図２】本考案動力モード転換装置において、駆動する動力がない状態時の打撃ユニットの構造状態を示す立体断面図である。
【図３】本考案動力モード転換装置において、駆動する動力がない状態時の打撃ユニットの構造状態を示す外観平面図である。
【図４】本考案動力モード転換装置において、電動ドリルモード出力形態時の打撃ユニットの構造状態を示す立体断面図である。
【図５】本考案動力モード転換装置において、インパクトモード出力形態時の打撃ユニットの構造状態を示す立体断面図である。
【図６】本考案動力モード転換装置において、インパクトモード出力形態時の打撃ユニットの構造状態を示す外観平面図である。
【図７】本考案が備える打撃ユニットを、電動工具に応用後の主要部品の組合せ関係を示す立体分解図である。
【考案を実施するための形態】
【０００８】
以下に図面を参照しながら本考案を実施するための最良の形態について詳細に説明する。
【０００９】
図１に示すように、本考案電動工具に使用する動力モード転換装置は、打撃ユニット１を備える。
打撃ユニット１の実施例は、主軸１１、打撃台１２、バネ１３、ワッシャー１４、スラストベアリング１５、ワッシャーリング１６、嵌合リング１７、複数のスチールボール１８、切替リング１９を備える。
【００１０】
主軸１１の第一端は、軸方向に一定距離の延伸を行った外径表面に、外V型溝槽１１１を形成し、主軸１１の第二端は、軸方向に一定距離の延伸を行い、断面が多辺形を呈する多辺形軸１１２を形成する。
多辺形軸１１２の外径には、嵌合環状溝１１３を形成する。
打撃台１２の実施例では、外径が打撃台１２より大きい盤面１２４を備える。
盤面１２４には、突出状の複数個の打撃ブロック１２２を設置し、盤面１２４の外径には、軸方向に延伸する複数の凹槽１２３を設置する。
打撃台１２の中央には、軸孔を備え、軸孔の内径には、内V型溝槽１２１を設置する。
【００１１】
外V型溝槽１１１に、複数のスチールボール１８を入れた後、主軸１１を打撃台１２の軸孔に通すと、スチールボール１８は、外V型溝槽１１１と内V型溝槽１２１との間に位置し、これによりスチールボール１８は、主軸１１と打撃台１２との間の牽引部品となる。
ワッシャーリング１６は、筒状体で、その周縁には、複数の欠口１６１を設置する。
ワッシャーリング１６の中央には、主軸１１の多辺形軸１１２端面に対応する多辺形孔１６２を設置する。
切替リング１９もまた筒状体で、その相対する第一端と第二端周縁には、複数の第一凸部１９１と複数の第二凸部１９１Aをそれぞれ設置する。
【００１２】
各第一凸部１９１と各第二凸部１９１Aとは、プレス成型技術を採用し、切替リング１９の側壁から、中心方向へと、切替リング１９の内壁に突出成型することが好ましい。
しかも、成型後の第一凸部１９１は、打撃台１２の凹槽１２３に軸方向にスライドして入り、第二凸部１９１Aは、ワッシャーリング１６の欠口１６１にスライドして入る。
また、切替リング１９の外径壁面には、環状溝槽１９２を設置する。
【００１３】
打撃ユニット１の組合せ方式は、以下の通りである。
先ず順番に、スラストベアリング１５、ワッシャー１４、バネ１３を、ワッシャーリング１６内に設置した後、さらにワッシャーリング１６を切替リング１９の第二端に組み合わせる。
続いて、既に打撃台１２に組み合わせた主軸を、切替リング１９の第一端から、ワッシャーリング１６の多辺形孔１６２に通し、さらに嵌合リング１７により、多辺形軸１１２の嵌合環状溝１１３に嵌合する。
こうして、主軸１１とワッシャーリング１６との分離を防止し、しかもこれによりバネ１３の両端は、ワッシャーリング１６と打撃台１２に、それぞれ押さえの作用を提供する。
こうして、打撃ユニット１を構成する。
【００１４】
本考案動力モード転換装置を、電動工具に応用する実施例である図７に示すように、本考案動力モード転換装置は、電動工具を、持続回転する電動ドリルモードの動力出力形態に転換させ、或いは間欠性回転とインパクトモードの動力出力形態に転換することができる。
動力モード転換装置は、動力ユニット７、打撃ユニット１、出力軸２、ハウジング３、ダイヤル４、少なくとも１個のスライドブロック５、外カバー６を備える。
【００１５】
動力ユニット７は、主動ギア７１１を設置するモーター７１を備える。
モーター７１前端には、順番に固定台７９と台体７３を設置する。
台体７３内には、ギアプレート７２、環状片７８、複数の小バネ７７、環状体７６、複数の遊星ギア７４、ベアリング７３１、出力プレート７５を順番に設置する。
これにより、各遊星ギア７４は、ギアプレート７２の内環ギア７２１と主動ギア７１１に同時に噛み合う。
環状体７６片側に設置する複数の定位ピン７６１は、小バネ７７にそれぞれ嵌めて設置後、環状片７８周縁に設置する複数の欠槽７８１に通る。
これにより、小バネ７７は、ギアプレート７２片側面を押さえる。
出力プレート７５は、ベアリング７３１に対応して、台体７３内に設置され、自由回転を行うことができる。
出力プレート７５片側に設置する複数の凸ピン７５１は、各遊星ギア７４の中心孔にそれぞれ通り、これにより連接する。
出力プレート７５中心に設置する多辺形孔７５２には、打撃ユニット１を組み合わせる。
【００１６】
本考案は、打撃ユニット１と出力軸２とを、ハウジング３内に一緒に組合せ後、ハウジング３を、動力ユニット７の台体７３に組み合わせる。
これにより、打撃ユニット１と動力ユニット７とは、機械連接を完成する。
続いて、ダイヤル４を、ハウジング３に組合せ、ダイヤル４外には、外カバー６を組み合わせる。
【００１７】
打撃ユニット１と動力ユニット７との組合せは、主軸１１第二端の多辺形軸１１２を、出力プレート７５の多辺形孔７５２に直接挿入することで行う。
これにより、多辺形軸１１２は、多辺形孔７５２と相対して軸方向に移動可能となるが、相対して回転しない。
【００１８】
出力軸２と打撃ユニット１は、ハウジング３内に順番に組み合わされ、これにより出力軸２一端の凸ブロック２１の側辺と、打撃ユニット１の打撃ブロック１２２とは、密着する。
次に、ハウジング３をダイヤル４内に組合せ、さらに各スライドブロック５を、ダイヤル４の槽孔４１中に組み合わせる。
これにより、スライドブロック５に設置するフランジ５１は、ハウジング３の斜槽３１に対応し、フランジ５１と同心に設置するピン５２は、切替リング１９の環状溝槽１９２に挿入される。
【００１９】
図２、３は、本考案が組成する機構を示す。
図に示すように、動力ユニット７が未作動の状態では、切替リング１９は、スライドブロック５の制限を受け、第二凸部１９１Aは、ワッシャーリング１６の欠口１６１を押さえる。
モーター７１が作動すると、主動ギア７１１は、遊星ギア７４の運転を連動し、出力プレート７５の回転を同時に駆動する。
出力プレート７５は、主軸１１の回転を連動し、主軸１１は、スチールボール１８により打撃台１２の回転を連動される。
さらに、打撃ブロック１２２は、凸ブロック２１を動かし、これにより出力軸２は回転する。
【００２０】
出力軸２は作動状態において負荷を受け、その反作用力を、打撃台１２に伝達し、こうして打撃台１２は反転する。
この状態において、外V型溝槽１１１と内V型溝槽１２１がスチールボール１８に対応して連動する構造を利用し、これにより打撃台１２は反転時、ワッシャーリング１６の方向へと軸方向に移動し、しかも打撃台１２の反転後、その外縁の凹槽１２３と切替リング１９の第一凸部１９１とは相互に位置がずれる(図４参照)。
こうして、打撃台１２の軸方向への継続移動を阻止するため、打撃台１２前端の打撃ブロック１２２は、出力軸２後端の凸ブロック２１を離脱できなくなる。
これにより、動力は継続して伝達され、電動ドリルモードの形態で動力は出力される。
【００２１】
間欠性回転インパクトモードの動力出力形態とする時には、使用者はダイヤル４を回す。
これにより、スライドブロック５は、ハウジング３の斜槽３１の制限を受け、第一方向へと移動する。
こうして、切替リング１９を連動して、第一端方向へと移動し、これにより切替リング１９の第二端の第二凸部１９１Aは、ワッシャーリング１６の欠口１６１を離脱し、第一端の第一凸部１９１は、打撃台１２の凹槽１２３内にスライドして入る(図５、６参照)。
この時、打撃台１２が正回転していようと、反転していようと、切替リング１９は、それに従い同期に回転するが、切替リング１９は、スライドブロック１５の制限を受けるため、前後に移動することはない。
よって、打撃台１２が反作用力を受け反転し、しかも第二端方向へと移動する時には、一切の制限を受けない。
これにより、打撃台１２前端の打撃ブロック１２２は、出力軸２後端の凸ブロック２１をスムーズに離脱し、バネ１３の弾力は、打撃台１２に再び作用し復帰させる。
このように絶えず循環し、間欠性回転とインパクト動作を生じることができる。
【００２２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２４】
１  打撃ユニット
１１  主軸
１１１  外V型溝槽
１１２  多辺形軸
１１３  嵌合環状溝
１２  打撃台
１２１  内V型溝槽
１２２  打撃ブロック
１２３  凹槽
１２４  盤面
１３  バネ
１４  ワッシャー
１５  スラストベアリング
１６  ワッシャーリング
１６１  欠口
１６２  多辺形孔
１７  嵌合リング
１８  スチールボール
１９  切替リング
１９１  第一凸部
１９１A  第二凸部
１９２  環状溝槽
２  出力軸
２１  凸ブロック
３  ハウジング
３１  斜槽
４  ダイヤル
４１  槽孔
５  スライドブロック
５１  フランジ
５２  ピン
６  外カバー
７  動力ユニット
７１  モーター
７１１  主動ギア
７２  ギアプレート
７２１  内環ギア
７３  台体
７３１  ベアリング
７４  遊星ギア
７５  出力プレート
７５１  凸ピン
７５２  多辺形孔
７６  環状体
７６１  定位ピン
７７  小バネ
７８  環状片
７８１  欠槽
７９  固定台
【図１】
0003164609.tif 000003
【図２】
0003164609.tif 000004
【図３】
0003164609.tif 000005
【図４】
0003164609.tif 000006
【図５】
0003164609.tif 000007
【図６】
0003164609.tif 000008
【図７】
0003164609.tif 000009